(57)【要約】【課題】より広範に対応可能な位相誤差検出器、偏波間干渉除去システム、および位相誤差検出方法を提供する。【解決手段】位相誤差検出器が、差分算出部１３および位相差検出部１４を含む。差分算出部１３は、複数の偏波方式のうち一の偏波方式で伝送されて復調された信号と当該信号からノイズ成分が除去された信号との差分を算出する。そして、位相差検出部１４は、差分算出部１３が算出した差分に基づいて、復調された信号と他の偏波方式で伝送された信号との間の位相差を検出する。【選択図】      図４
2017163370.tif 000002
【特許請求の範囲】
【請求項１】
複数の偏波方式のうち一の偏波方式で伝送されて復調された信号と前記信号からノイズ成分が除去された信号との差分を算出する差分算出手段と、
前記差分算出手段が算出した差分に基づいて、前記復調された信号と他の偏波方式で伝送された信号との間の位相差を検出する位相差検出手段とを備えた
ことを特徴とする位相誤差検出器。
【請求項２】
前記復調された信号と、前記位相差検出手段が検出した位相差に応じた信号に他の偏波方式で伝送された信号からの干渉を除去するためのフィードバック処理が施された信号との差分に基づいて、前記復調された信号から前記ノイズ成分が除去された信号を生成するノイズ成分除去信号生成手段を含む
請求項１に記載の位相誤差検出器。
【請求項３】
請求項１または請求項２に記載の位相誤差検出器と、
前記位相差検出手段が検出した位相差に応じた信号と、前記信号に前記他の偏波方式で伝送された信号からの干渉を除去するためのフィードバック処理が施された信号に基づく信号との乗算結果を算出する乗算手段と、
前記一の偏波方式で伝送されて復調された信号に基づく信号から、前記乗算手段による算出結果に応じた信号を減じることによって、前記他の偏波方式で伝送された信号からの干渉が除去された信号を生成する減算手段とを備えた
ことを特徴とする偏波間干渉除去システム。
【請求項４】
前記乗算手段に入力される、前記位相差検出手段が検出した位相差に応じた信号から雑音成分を除去するための雑音成分除去手段と、
前記他の偏波方式で伝送された信号からの干渉を除去するためのフィードバック処理が前記位相差に応じた信号に施された信号に基づく信号を前記雑音成分除去手段における処理時間に基づいて遅延させて、前記乗算手段に入力する遅延手段とを含む
請求項３に記載の偏波間干渉除去システム。
【請求項５】
請求項１または請求項２に記載の位相誤差検出器と、
前記位相差検出手段が検出した位相差に応じた信号と、前記一の偏波方式で伝送された信号における前記他の偏波方式で伝送された信号からの干渉を補償するための信号に基づく信号との乗算結果を算出する乗算手段と、
前記一の偏波方式で伝送されて復調された信号に基づく信号から、前記乗算手段による算出結果に応じた信号を減じることによって、前記他の偏波方式で伝送された信号からの干渉が除去された信号を生成する減算手段とを備えた
ことを特徴とする偏波間干渉除去システム。
【請求項６】
前記乗算手段に入力される、前記位相差検出手段が検出した位相差に応じた信号から雑音成分を除去するための雑音成分除去手段と、
前記他の偏波方式で伝送された信号からの干渉が補償された信号を前記雑音成分除去手段における処理時間に基づいて遅延させて、前記乗算手段に入力する遅延手段とを含む
請求項５に記載の偏波間干渉除去システム。
【請求項７】
複数の偏波方式のうち一の偏波方式で伝送されて復調された信号と前記信号からノイズ成分が除去された信号との差分を算出し、
算出した前記差分に基づいて、前記復調された信号と他の偏波方式で伝送された信号との間の位相差を検出する
ことを特徴とする位相誤差検出方法。
【発明の詳細な説明】
【技術分野】
【０００１】
本発明は、互いに異なる偏波方式で送信された信号の位相誤差に対応する位相誤差検出器、偏波間干渉除去システム、および位相誤差検出方法に関する。
【背景技術】
【０００２】
互いに異なる２つの偏波方式（例えば、水平偏波と垂直偏波）でそれぞれ信号を伝送する両偏波伝送装置がある。そして、両偏波伝送装置では、それぞれの偏波方式で受信された信号について、互いに異なるＰＬＬ（Ｐｈａｓｅ  Ｌｏｃｋｅｄ  Ｌｏｏｐ）で生成されたローカル信号に基づいてそれぞれ同期が行われる場合がある。そのような同期方式をリファレンス同期方式という。リファレンス同期方式では、周波数は同期されるが、位相は同期されない。
【０００３】
特許文献１には、そのような両偏波伝送装置においてリファレンス同期方式に起因して生じる位相雑音を抑制する手段について記載されている。
【０００４】
図５は、特許文献１に記載されている位相雑音抑制用回路の構成例を示すブロック図である。図５に示す位相雑音抑制用回路において、誤差検出器２６は、複素乗算器１８における自偏波信号の正規の位相回転角度と、入力された信号との位相差を算出する。そして、誤差検出器２６は、算出した位相差が示される誤差信号を位相雑音検出器２７に入力する。
【０００５】
また、位相雑音検出器２７には、ＸＰＩＣ（Ｃｒｏｓｓ  Ｐｏｌａｒｉｚａｔｉｏｎ  Ｉｎｔｅｒｆｅｒｅｎｃｅ  Ｃａｎｃｅｌｌｅｒ）２４によって出力された、加算器１９で干渉を除去するための信号が、複素乗算器１８’によって位相回転されて入力される。
【０００６】
そして、位相雑音検出器２７は、入力された誤差信号と、交差偏波間干渉除去信号とに基づいて、位相雑音成分における位相方向の差分である位相雑音差分を算出する。そして、算出された位相雑音差分は、加算器２９等を介して複素乗算器１８’にフィードバックされる。
【０００７】
特許文献２には、受信された信号に基づいて、位相差分を抽出する回路が記載されている。
【０００８】
特許文献３には、フィードフォワード制御とフィードバック制御とが組み合わされた、位相雑音制御システムが記載されている。
【先行技術文献】
【特許文献】
【０００９】
【特許文献１】国際公開第２００７／０４６４２７号
【特許文献２】特開２００２−１５８６３０号公報
【特許文献３】特表２００９−５４５２７７号公報
【発明の概要】
【発明が解決しようとする課題】
【００１０】
近年、より大きい多値数の変調方式で変調された信号が送受信されている。すると、特許文献１の図６に記載されているように、特許文献１に記載されている回路で対応することが困難になりつつある。
【００１１】
また、特許文献２に記載されている回路は、受信された信号から直接に、位相差分を抽出する処理を行うのであるが、当該処理をより安価で実現するために、より低い周波数で当該処理が行われることが好ましい。
【００１２】
特許文献３に記載されているシステムは、フィードフォワード制御とフィードバック制御とが組み合わされており、当該システムの使用環境等に応じた適切な調整に手間がかかるという問題がある。
【００１３】
そこで、本発明は、より広範に対応可能な位相誤差検出器、偏波間干渉除去システム、および位相誤差検出方法を提供することを目的とする。
【課題を解決するための手段】
【００１４】
本発明による位相誤差検出器は、複数の偏波方式のうち一の偏波方式で伝送されて復調された信号と信号からノイズ成分が除去された信号との差分を算出する差分算出手段と、差分算出手段が算出した差分に基づいて、復調された信号と他の偏波方式で伝送された信号との間の位相差を検出する位相差検出手段とを備えたことを特徴とする。
【００１５】
本発明による偏波間干渉除去システムは、いずれかの態様の位相誤差検出器と、位相差検出手段が検出した位相差に応じた信号と、信号に他の偏波方式で伝送された信号からの干渉を除去するためのフィードバック処理が施された信号に基づく信号との乗算結果を算出する乗算手段と、一の偏波方式で伝送されて復調された信号に基づく信号から、乗算手段による算出結果に応じた信号を減じることによって、他の偏波方式で伝送された信号からの干渉が除去された信号を生成する減算手段とを備えたことを特徴とする。
【００１６】
本発明による他の態様の偏波間干渉除去システムは、いずれかの態様の位相誤差検出器と、位相差検出手段が検出した位相差に応じた信号と、信号に他の偏波方式で伝送された信号からの干渉が補償された信号に基づく信号との乗算結果を算出する乗算手段と、一の偏波方式で伝送されて復調された信号に基づく信号から、乗算手段による算出結果に応じた信号を減じることによって、他の偏波方式で伝送された信号からの干渉が除去された信号を生成する減算手段とを備えたことを特徴とする。
【００１７】
本発明による位相誤差検出方法は、複数の偏波方式のうち一の偏波方式で伝送されて復調された信号と信号からノイズ成分が除去された信号との差分を算出し、算出した差分に基づいて、復調された信号と他の偏波方式で伝送された信号との間の位相差を検出することを特徴とする。
【発明の効果】
【００１８】
本発明によれば、より広範に位相雑音に対応することができる。
【図面の簡単な説明】
【００１９】
【図１】本発明の第１の実施形態の位相雑音検出器の構成例を示すブロック図である。
【図２】位相雑音検出器およびフィードフォワード部が対応可能な周波数の範囲を示す説明図である。
【図３】本発明の第２の実施形態のフィードフォワード部の構成例を示すブロック図である。
【図４】本発明の第３の実施形態の位相誤差検出器の構成例を示すブロック図である。
【図５】特許文献１に記載されている位相雑音抑制用回路の構成例を示すブロック図である。
【発明を実施するための形態】
【００２０】
実施形態１．
本発明の第１の実施形態の位相雑音検出器１００について、図面を参照して説明する。図１は、本発明の第１の実施形態の位相雑音検出器１００の構成例を示すブロック図である。図１に例示した本発明の第１の実施形態の位相雑音検出器１００を含む各構成要素は、例えば、両偏波伝送装置に搭載されている。そして、各構成要素は、両偏波伝送装置が受信した２つの偏波方式による信号のうち一方の信号に応じた構成要素である。
【００２１】
図１に示すように本発明の第１の実施形態の位相雑音検出器１００は、フィードバック部２００、フィードフォワード部３００、復調器４０１、および復調後信号遅延調整器４０２に接続されている。
【００２２】
復調器４０１には、一方の偏波方式（例えば、水平偏波）による受信信号が入力される。そして、復調器４０１は、入力された受信信号を復調する。さらに、復調器４０１は、復調後の復調後信号を位相雑音検出器１００および復調後信号遅延調整器４０２にそれぞれ入力する。なお、復調器４０１とフィードフォワード部３００とは、復調後信号遅延調整器４０２を介して互いに接続されている。復調後信号遅延調整器４０２は、入力された復調後信号を予め決められた時間遅延させて、フィードフォワード部３００に入力する。なお、予め決められた時間については後述する。
【００２３】
そして、位相雑音検出器１００は、フィードバック部２００を介して、ＸＰＩＣ部４０３に接続されている。
【００２４】
なお、ＸＰＩＣ部４０３は、一方の偏波方式（本例では、水平偏波）の受信信号から他方の偏波方式（例えば、垂直偏波）の受信信号との干渉成分を除去するための交差偏波間干渉除去信号Ｘをフィードバック部２００に入力する。
【００２５】
また、図１に示すように、位相雑音検出器１００は、減算器１１０、硬判定器１２０、減算器１３０、および位相差検出器１４０を含む。
【００２６】
減算器１１０および減算器１３０には、復調器４０１によって復調後信号がそれぞれ入力される。
【００２７】
また、減算器１１０および位相差検出器１４０には、フィードバック部２００から、後述する仮干渉除去用信号Ｘ’がそれぞれ入力される。
【００２８】
減算器１１０は、復調後信号から仮干渉除去用信号Ｘ’を減算した結果の差が示される信号である仮干渉除去後信号を生成する。そして、減算器１１０は、生成した仮干渉除去後信号を硬判定器１２０に入力する。
【００２９】
硬判定器１２０は、入力された仮干渉除去後信号に基づいて、硬判定を行う。そして、硬判定器１２０は、硬判定の結果が示される硬判定信号を生成する。さらに、硬判定器１２０は、生成した硬判定信号を減算器１３０に入力する。
【００３０】
減算器１３０は、復調後信号から硬判定信号を減算した結果の差が示される交差偏波間干渉信号を生成する。そして、減算器１３０は、生成した交差偏波間干渉信号を位相差検出器１４０に入力する。
【００３１】
位相差検出器１４０は、入力された、交差偏波間干渉信号と仮干渉除去用信号Ｘ’とに基づいて、偏波方式が互いに異なる信号間の位相差を検出する。そして、位相差検出器１４０は、検出した位相差が示される干渉除去信号位相誤差信号を生成する。さらに、位相差検出器１４０は、生成した干渉除去信号位相誤差信号をフィードバック部２００およびフィードフォワード部３００にそれぞれ入力する。
【００３２】
フィードバック部２００の構成について説明する。フィードバック部２００は、ローパスフィルタ２１０、数値制御発振器２２０、および乗算器２３０を含む。
【００３３】
ローパスフィルタ２１０には、干渉除去信号位相誤差信号が入力される。そして、ローパスフィルタ２１０において、雑音成分（位相雑音）が除去されるフィルタリング処理が行われる。そして、干渉除去信号位相誤差信号は、当該フィルタリング処理後に数値制御発振器２２０に入力される。
【００３４】
数値制御発振器２２０は、入力された干渉除去信号位相誤差信号に応じて、所定の電力（ゲイン：利得）および位相の信号を乗算器２３０に入力する。
【００３５】
乗算器２３０は、当該信号とＸＰＩＣ部４０３が入力した交差偏波間干渉除去信号Ｘとを乗算し、乗算結果が示される仮干渉除去用信号Ｘ’を生成する。なお、当該信号と交差偏波間干渉除去信号Ｘとの乗算は、複素演算を意味し、位相が互いに足しあわされる。そして、乗算器２３０は、生成した仮干渉除去用信号Ｘ’を位相雑音検出器１００の減算器１１０および位相差検出器１４０と、フィードフォワード部３００に入力する。
【００３６】
フィードフォワード部３００について説明する。フィードフォワード部３００は、ローパスフィルタ３１０、数値制御発振器３２０、干渉除去信号遅延調整器３３０、乗算器３４０、および減算器３５０を含む。
【００３７】
ローパスフィルタ３１０には、干渉除去信号位相誤差信号が入力される。そして、ローパスフィルタ３１０において、雑音成分（位相雑音）が除去されるフィルタリング処理が行われる。そして、当該フィルタリング処理後の干渉除去信号位相誤差信号は、数値制御発振器３２０に入力される。
【００３８】
なお、ローパスフィルタ３１０は、ローパスフィルタ２１０と比べて、遅延時間は長いが、信頼性がより高い特性を有するとする。具体的には、ローパスフィルタ３１０は、ローパスフィルタ２１０と比べて、遅延時間がより長いが、通過させる信号の周波数がより低い特性を有する。
【００３９】
数値制御発振器３２０は、入力された干渉除去信号位相誤差信号に応じて、所定の電力（ゲイン：利得）および位相の信号を乗算器３４０に入力する。
【００４０】
干渉除去信号遅延調整器３３０は、入力された仮干渉除去用信号Ｘ’を所定の時間遅延させる遅延処理を行う。そして、干渉除去信号遅延調整器３３０は、遅延処理後の仮干渉除去用信号Ｘ’ｚを乗算器３４０に入力する。なお、所定の時間については後述する。
【００４１】
乗算器３４０は、数値制御発振器３２０が入力した信号と干渉除去信号遅延調整器３３０が入力した仮干渉除去用信号Ｘ’ｚとを乗算し、乗算結果が示される新干渉除去用信号を生成する。なお、数値制御発振器３２０が入力した信号と仮干渉除去用信号Ｘ’ｚとの乗算は、複素演算を意味し、位相が互いに足しあわされる。そして、乗算器３４０は、生成した新干渉除去用信号を減算器３５０に入力する。
【００４２】
減算器３５０は、復調後信号遅延調整器４０２が入力した復調後信号に基づく信号から新干渉除去用信号を減算した干渉除去後信号を生成して出力する。
【００４３】
次に、本発明の第１の実施形態の位相雑音検出器１００の動作について、具体的に説明する。
【００４４】
復調器４０１によって受信信号が復調された復調後信号には、主信号Ｄに、交差偏波間干渉信号ｘが含まれているとする。したがって、復調後信号をＤ＋ｘと表す。
【００４５】
減算器１１０は、復調後信号（Ｄ＋ｘ）から仮干渉除去用信号Ｘ’を減算した結果の差が示される信号である仮干渉除去後信号（Ｄ＋ｘ−Ｘ’）を生成する。
【００４６】
ここで、位相雑音検出器１００によって位相雑音が適切に検出され、フィードバック部２００によって当該検出結果に基づいた補償処理が適切に行われている場合に、ｘ≒Ｘ’となるので、仮干渉除去後信号は、（Ｄ＋ｘ−Ｘ’）≒Ｄとなる。したがって、仮干渉除去後信号は、主信号Ｄに相当する内容になるので、仮干渉除去後信号Ｄと表す。
【００４７】
硬判定器１２０は、入力された仮干渉除去後信号Ｄからノイズ成分を除去した硬判定信号ｄを生成する。そして、硬判定器１２０は、生成した硬判定信号ｄを減算器１３０に入力する。
【００４８】
そして、減算器１３０は、復調後信号（Ｄ＋ｘ）から硬判定信号ｄを減算した結果の差が示される交差偏波間干渉信号（Ｄ＋ｘ−ｄ）を生成する。ここで、Ｄ≒ｄであるとすれば、交差偏波間干渉信号の内容は、前述したように、交差偏波間干渉信号ｘになる。
【００４９】
位相差検出器１４０は、交差偏波間干渉信号ｘと仮干渉除去用信号Ｘ’とに基づいて、偏波方式が互いに異なる信号間の位相差を検出する。そして、位相差検出器１４０は、当該位相差が示される信号である干渉除去信号位相誤差信号ｘ’を生成する。
【００５０】
フィードバック部２００における各部の動作について、具体的に説明する。フィードバック部２００において、ローパスフィルタ２１０には、干渉除去信号位相誤差信号ｘ’が入力されて雑音成分が除去される。そして、数値制御発振器２２０は、干渉除去信号位相誤差信号ｘ’から雑音成分が除去されて示される位相差に応じて、所定の電力および位相の信号を乗算器２３０に入力する。
【００５１】
乗算器２３０は、当該信号とＸＰＩＣ部４０３が入力した交差偏波間干渉除去信号Ｘとを乗算し、乗算結果が示される仮干渉除去用信号Ｘ’を生成する。なお、数値制御発振器２２０は、例えば、乗算器２３０による乗算結果によって、複素平面において交差偏波間干渉除去信号Ｘが交差偏波間干渉信号ｘを打ち消すように回転させるように、仮干渉除去用信号Ｘ’を生成する。
【００５２】
生成された仮干渉除去用信号Ｘ’は、減算器１１０、位相差検出器１４０、および干渉除去信号遅延調整器３３０に入力される。
【００５３】
フィードフォワード部３００の各部の動作について、具体的に説明する。フィードフォワード部３００において、ローパスフィルタ３１０には、干渉除去信号位相誤差信号ｘ’が入力されて雑音成分が除去される。そして、数値制御発振器３２０は、干渉除去信号位相誤差信号ｘ’から雑音成分が除去されて示される位相差に応じて、所定の電力および位相の信号を乗算器３４０に入力する。
【００５４】
ここで、乗算器３４０に入力される、当該信号と仮干渉除去用信号Ｘ’ｚとは、いずれも乗算器２３０によって生成された仮干渉除去用信号Ｘ’に基づく信号である。しかし、当該信号は、減算器１１０、硬判定器１２０、減算器１３０、位相差検出器１４０、ローパスフィルタ３１０、および数値制御発振器３２０を介して、各部の処理時間に応じて遅延して乗算器３４０に入力される。そこで、干渉除去信号遅延調整器３３０は、入力された仮干渉除去用信号Ｘ’を当該各部の処理時間に応じた所定の時間遅延させる遅延処理を行う。そして、干渉除去信号遅延調整器３３０は、遅延処理後の仮干渉除去用信号Ｘ’ｚを乗算器３４０に入力する。
【００５５】
乗算器３４０は、数値制御発振器３２０が入力した信号と干渉除去信号遅延調整器３３０が入力した仮干渉除去用信号Ｘ’ｚとを乗算し、乗算結果が示される新干渉除去用信号ｘ’ｚを生成する。なお、数値制御発振器３２０が入力した信号と仮干渉除去用信号Ｘ’ｚとの乗算は、複素演算を意味し、位相が互いに足しあわされる。そして、乗算器３４０は、生成した新干渉除去用信号ｘ’ｚを減算器３５０に入力する。
【００５６】
ここで、減算器３５０に入力される新干渉除去用信号ｘ’ｚは、復調後信号（Ｄ＋ｘ）に基づく信号であるが、減算器１１０、硬判定器１２０、減算器１３０、位相差検出器１４０、ローパスフィルタ３１０、数値制御発振器３２０、および乗算器３４０を介して、各部の処理時間に応じて遅延して減算器３５０に入力される。そこで、復調後信号遅延調整器４０２は、入力された復調後信号（Ｄ＋ｘ）を当該各部の処理時間に応じた予め決められた時間遅延させた信号を減算器３５０に入力する。
【００５７】
減算器３５０は、復調後信号遅延調整器４０２が入力した、復調後信号（Ｄ＋ｘ）を当該各部の処理時間に応じた予め決められた時間遅延させた信号から、新干渉除去用信号ｘ’ｚを減算した干渉除去後信号を生成して出力する。
【００５８】
本実施形態によれば、位相雑音検出器１００によって適切に位相雑音が検出され、フィードバック部２００によって適切に位相雑音が補償された場合に、減算器１３０には、復調後信号（Ｄ＋ｘ）と硬判定信号ｄとが入力される。ここで、硬判定信号ｄは、仮干渉除去後信号Ｄからノイズ成分を除去された信号である。よって、硬判定信号ｄ≒仮干渉除去後信号Ｄである。そうすると、減算器１３０には、復調後信号（Ｄ＋ｘ）と硬判定信号ｄとの間には、交差偏波間干渉信号ｘという差異がある。よって、位相雑音検出器１００によって適切に位相雑音が検出され、フィードバック部２００によって適切に位相雑音が補償された場合であっても、減算器１３０に入力される信号に互いに差異があるので、減算結果に応じた交差偏波間干渉信号（Ｄ＋ｘ−ｄ）が出力される。そして、当該交差偏波間干渉信号（Ｄ＋ｘ−ｄ）が位相差検出器１４０に入力される。位相差検出器１４０は、入力された交差偏波間干渉信号（Ｄ＋ｘ−ｄ）と仮干渉除去用信号Ｘ’との位相差を検出する。
【００５９】
それに対して、減算器１３０に、仮干渉除去後信号Ｄと硬判定信号ｄとが入力されるように構成された場合に、位相雑音検出器１００によって適切に位相雑音が検出され、フィードバック部２００によって適切に位相雑音が補償されたときに、硬判定信号ｄ≒仮干渉除去後信号Ｄとなるので、当該減算器１３０に互いに差異がない信号が入力されることになる。そうすると、減算器１３０から０ベクトルに応じた信号が位相差検出器１４０に入力される。したがって、位相差検出器１４０には、０ベクトルに応じた信号と、仮干渉除去用信号Ｘ’とが入力される。しかし、位相差検出器１４０は、０ベクトルに応じた信号と他の信号との位相差を検出することができない。したがって、位相差検出器１４０が適切に動作せず、フィードバック部２００等の全体が適切に動作することができなくなってしまう。
【００６０】
すなわち、本実施形態によれば、位相雑音検出器１００によって適切に位相雑音が検出され、フィードバック部２００によって適切に位相雑音が補償された場合を含む広範な状況に対応して、位相雑音検出器１００およびフィードバック部２００等の全体を適切に動作させることができる。
【００６１】
また、本実施形態によれば、位相雑音検出器１００によって適切に位相雑音が検出され、フィードフォワード部３００によるフィードフォワード制御によって適切に位相雑音が補償される。よって、フィードフォワード部３００を備えない場合に比べて、より高い周波数の受信信号に対応することができる。
【００６２】
図２は、位相雑音検出器１００およびフィードフォワード部３００が対応可能な周波数の範囲を示す説明図である。図２には、フィードバック制御により位相雑音が補償される範囲が斜線で示され、フィードフォワード制御により位相雑音が補償される範囲が網掛けで示されている。なお、後述する他の実施形態においても、同様な範囲に対応可能である。
【００６３】
図２に示すように、本実施形態によれば、フィードフォワード部３００がフィードフォワード制御による位相雑音の補償を行うので、フィードバック制御により位相雑音が補償される場合に加えて、より高い周波数の受信信号の位相雑音を補償することができる。
【００６４】
実施形態２．
本発明の第２の実施形態のフィードフォワード部３０２について、図面を参照して説明する。図３は、本発明の第２の実施形態のフィードフォワード部３０２の構成例を示すブロック図である。図３に示すように、本発明の第２の実施形態のフィードフォワード部３０２において、図１に示すフィードフォワード部３００におけるローパスフィルタ３１０と数値制御発振器３２０との間に、加算器３５２が配置されている。また、干渉除去信号遅延調整器３３０には、交差偏波間干渉除去信号ＸがＸＰＩＣ部４０３によって入力される。その他の要素は、図１に示す各要素と同様なため、図１と同じ符号を付して説明を省略する。
【００６５】
加算器３５２には、ローパスフィルタ２１０，３１０によって雑音成分が除去された干渉除去信号位相誤差信号ｘ’がそれぞれ入力されて、互いに加算される。そして、加算結果に応じた信号が数値制御発振器３２０に入力される。
【００６６】
数値制御発振器３２０は、入力された加算結果に応じた信号に応じて、所定の電力（ゲイン：利得）および位相の信号を乗算器３４０に入力する。
【００６７】
また、干渉除去信号遅延調整器３３０は、交差偏波間干渉除去信号Ｘを、前述した所定の時間に加算器３５２における処理時間を加えた時間、遅延させる遅延処理を行う。そして、干渉除去信号遅延調整器３３０は、遅延処理後の信号を乗算器３４０に入力する。
【００６８】
乗算器３４０は、数値制御発振器３２０が入力した信号と当該遅延処理後の信号とを乗算し、乗算結果が示される新干渉除去用信号ｘ’ｚを生成する。そして、乗算器３４０は、生成した新干渉除去用信号ｘ’ｚを減算器３５０に入力する。
【００６９】
本実施形態によれば、交差偏波間干渉除去信号Ｘが、新干渉除去用信号ｘ’ｚとなって減算器３５０に入力されるまでに通る乗算器は、乗算器３４０だけである。したがって、図１に示す第１の実施形態において、乗算器２３０および乗算器３４０を通る場合に比べて、乗算処理で生じる誤差を減少させることができる。
【００７０】
また、第１の実施形態における効果と同様な効果を奏することができる。
【００７１】
実施形態３．
次に、本発明の第３の実施形態の位相誤差検出器について図面を参照して説明する。図４は、本発明の第３の実施形態の位相誤差検出器の構成例を示すブロック図である。
【００７２】
図４に示すように、本発明の第３の実施形態の位相誤差検出器は、差分算出部１３および位相差検出部１４を含む。
【００７３】
差分算出部１３は、図１に示す第１の実施形態および図３に示す第２の実施形態における減算器１３０に相当する。
【００７４】
位相差検出部１４は、図１に示す第１の実施形態および図３に示す第２の実施形態における位相差検出器１４０に相当する。
【００７５】
差分算出部１３は、複数の偏波方式のうち一の偏波方式で伝送されて復調された信号と当該信号からノイズ成分が除去された信号との差分を算出する。
【００７６】
そして、位相差検出部１４は、差分算出部１３が算出した差分に基づいて、復調された信号と他の偏波方式で伝送された信号との間の位相差を検出する。
【００７７】
本実施形態によれば、位相差検出部１４には、差分算出部１３によって算出された差分に応じた信号が入力される。そして、当該信号は、複数の偏波方式のうち一の偏波方式で伝送されて復調された信号と当該信号からノイズ成分が除去された信号との差分に応じた信号である。そうすると、当該信号は、０ベクトルに応じた信号ではない。
【００７８】
したがって、位相差検出部１４は、当該信号に基づいて、複数の偏波方式のうち一の偏波方式で伝送されて復調された信号と他の偏波方式で伝送された信号との間の位相差を検出することができる。
【符号の説明】
【００７９】
１３    差分算出部
１４    位相差検出部
１００    位相雑音検出器
１１０、１３０、３５０    減算器
１２０    硬判定器
１４０    位相差検出器
２００    フィードバック部
２１０、３１０    ローパスフィルタ
２２０、３２０    数値制御発振器
３００、３０２    フィードフォワード部
３３０    干渉除去信号遅延調整器
３４０    乗算器
３５２    加算器
４０１    復調器
４０２    復調後信号遅延調整器
４０３    ＸＰＩＣ部
【図１】
2017163370.tif 000003
【図２】
2017163370.tif 000004
【図３】
2017163370.tif 000005
【図４】
2017163370.tif 000006
【図５】
2017163370.tif 000007